(57)【要約】【課題】必要最低限の新鮮な飲料水を確保することができる非常用飲料水タンクを提供することを目的としている。【解決手段】非常用飲料水タンク１は、タンク本体２と、  タンク本体２に設けられ、該タンク本体２内に水道水Ｗを取り込む取水部３と、  タンク本体２内に多段状に互い違いに配設されて、蛇行状の流水路ＲＷを形成する複数の整流板４と、  タンク本体２に設けられ、該タンク本体２内に貯留される水道水Ｗを平時に使用可能な平時用給水部８と、  タンク本体２に設けられ、該タンク本体２内に貯留される水道水Ｗを非常時に使用可能な非常時用給水部９と、  タンク本体２に設けられ、該タンク本体２内に空気溜まりが形成されないようにする水溜まり部５と、を備えている。【選択図】図１
2016029240.tif 000002
【特許請求の範囲】
【請求項１】
タンク本体と、
前記タンク本体に設けられ、該タンク本体内に水道水を取り込む取水部と、
前記タンク本体内に多段状に互い違いに配設されて、蛇行状の流水路を形成する複数の整流板と、
前記タンク本体に設けられ、該タンク本体内に貯留される前記水道水を平時に使用可能な平時用給水部と、
前記タンク本体に設けられ、該タンク本体内に貯留される前記水道水を非常時に使用可能な非常時用給水部と、
前記タンク本体に設けられ、該タンク本体内に空気溜まりが形成されないようにする水溜まり部と、を備えてなる非常用飲料水タンク。
【請求項２】
前記タンク本体には、該タンク本体内が負圧となっても、その負圧を解消するための外気を該タンク本体内に取り込み可能なバキュームブレーカが設けられてなる請求項１に記載の非常用飲料水タンク。
【請求項３】
前記水溜まり部には、該水溜まり部内に前記取水部より取り込まれた水道水が充満したか否かの確認が可能な余水排出部が設けられてなる請求項１又は２に記載の非常用飲料水タンク。
【発明の詳細な説明】
【技術分野】
【０００１】
本発明は、地震や台風等の災害発生時における不意の断水に備え、必要最低限の新鮮な飲料水を確保することができる非常用飲料水タンクに関する。
【背景技術】
【０００２】
地震等の広域災害が発生すると、断水が懸念され、斯かる不意の事態に備えるべく、各家庭において常日頃より必要最低限の飲料水を確保し、これを備蓄しておくことが望まれる。それゆえ、近年、市販のペットボトル入り飲料水を非常時用として買い置きする家庭が増加している。
【０００３】
しかしながら、市販のペットボトル入り飲料水を買い置きする場合には、このペットボトル入り飲料水に品質保証期限が設定されていることから、保証期限が訪れる度に買い替える必要があり、もって、買い置きしてあったペットボトル入り飲料水が無駄になる上、買い換えの手間や費用が嵩むという問題があった。
【０００４】
そこで、このような問題を解決すべく、特許文献１に記載のような発明が提案されている。この特許文献１に記載の発明は、タンク本体上部にある取水口からの水道水が、上下複数段の整流板によって形成される蛇行状の流水路に沿って整流されながら流下し、平常時は給水管より排出され、もって、常に新鮮な水を蓄えることができる。また、断水時は、タンク本体内の圧力は緩やかに低下していくが、タンク本体内の水量はそのままであるから、飲料水として使用する場合、タンク本体の下部にある非常時用給水口より取水することができるというものである。
【先行技術文献】
【特許文献】
【０００５】
【特許文献１】特開２０１４−１０５４２１号公報
【発明の概要】
【発明が解決しようとする課題】
【０００６】
しかしながら、上記の発明には、次のような問題があった。すなわち、タンク本体上壁部中央には、空気導入口が設けられると共に、平常時にタンク本体が満水状態になると空気導入口を閉じ、水道の断水時にタンク本体の水位が満水状態から下がると空気導入口を開放するフロート弁が設けられているが、このフロート弁の弁箱本体内の密閉性が低く、この弁箱本体内に空気溜まりが発生してしまうという問題があった。そのため、タンク本体内に貯留している水道水に含有されている塩素が、当該空気に触れると塩素ガスが発生し、その発生した塩素がタンク本体内を腐食させ、もって、必要最低限の新鮮な飲料水を確保することができなくなるという問題があった。
【０００７】
そこで、本発明は、上記問題に鑑み、必要最低限の新鮮な飲料水を確保することができる非常用飲料水タンクを提供することを目的としている。
【課題を解決するための手段】
【０００８】
上記本発明の目的は、以下の手段によって達成される。なお、括弧内は、後述する実施形態の参照符号を付したものであるが、本発明はこれに限定されるものではない。
【０００９】
請求項１の非常用飲料水タンクによれば、タンク本体（２，２Ａ）と、
前記タンク本体（２，２Ａ）に設けられ、該タンク本体（２，２Ａ）内に水道水（Ｗ）を取り込む取水部（３）と、
前記タンク本体（２，２Ａ）内に多段状に互い違いに配設されて、蛇行状の流水路（ＲＷ）を形成する複数の整流板（４）と、
前記タンク本体（２，２Ａ）に設けられ、該タンク本体（２，２Ａ）内に貯留される前記水道水（Ｗ）を平時に使用可能な平時用給水部（８）と、
前記タンク本体（２，２Ａ）に設けられ、該タンク本体（２，２Ａ）内に貯留される前記水道水（Ｗ）を非常時に使用可能な非常時用給水部（９）と、
前記タンク本体（２，２Ａ）に設けられ、該タンク本体（２，２Ａ）内に空気溜まりが形成されないようにする水溜まり部（５）と、を備えてなることを特徴としている。
【００１０】
また、請求項２の非常用飲料水タンクによれば、上記請求項１に記載の非常用飲料水タンク（１，１Ａ）において、前記タンク本体（２，２Ａ）には、該タンク本体（２，２Ａ）内が負圧となっても、その負圧を解消するための外気を該タンク本体（２，２Ａ）内に取り込み可能なバキュームブレーカ（７）が設けられてなることを特徴としている。
【００１１】
さらに、請求項３の非常用飲料水タンクによれば、上記請求項１又は２に記載の非常用飲料水タンク（１，１Ａ）において、前記水溜まり部（５）には、該水溜まり部（５）内に前記取水部（３）より取り込まれた水道水（Ｗ）が充満したか否かの確認が可能な余水排出部（６）が設けられてなることを特徴としている。
【発明の効果】
【００１２】
次に、本発明の効果について、図面の参照符号を付して説明する。なお、括弧内は、後述する実施形態の参照符号を付したものであるが、本発明はこれに限定されるものではない。
【００１３】
請求項１に係る発明によれば、取水部（３）よりタンク本体（２，２Ａ）内に取り込まれる水道水（Ｗ）は、タンク本体（２，２Ａ）内多段状に互い違いに配設されている整流板（４）によって形成される蛇行状の流水路（ＲＷ）に沿って整流されながら流下し、平常時は、平時用給水部（８）より排出され、普段通りの水道水（Ｗ）として使用することができる。それゆえ、タンク本体（２，２Ａ）内の水道水（Ｗ）は、タンク本体（２，２Ａ）内で滞留することがなく、もって、常に新鮮な水道水、すなわち、飲料水を常に家庭内や職場内等に備蓄することができる。
【００１４】
さらに、本発明によれば、タンク本体（２，２Ａ）内に、空気溜まりが形成されないように水溜まり部（５）を設けているため、タンク本体（２，２Ａ）内の空気を水に溶け込ませることができ、もって、タンク本体（２，２Ａ）内に空気溜まりが形成されないようにすることができる。これにより、タンク本体（２，２Ａ）内に塩素ガスが発生してしまう事態を防止することができ、もって、タンク本体（２，２Ａ）内の腐食を防止することができる。
【００１５】
しかして、本発明によれば、必要最低限の新鮮な飲料水を確保することができる。
【００１６】
また、請求項２に係る発明によれば、タンク本体（２，２Ａ）には、該タンク本体（２，２Ａ）内が負圧となっても、その負圧を解消するための外気を該タンク本体（２，２Ａ）内に取り込み可能なバキュームブレーカ（７）が設けられているから、断水時であっても、非常時用給水部（９）より、水道水を給水することができ、もって、非常時用給水部（９）からタンク本体（２）内に貯留している水道水（Ｗ）が排出されないという事態を低減することができる。
【００１７】
さらに、請求項３に係る発明によれば、水溜まり部（５）には、該水溜まり部（５）内に取水部（３）より取り込まれた水道水（Ｗ）が充満したか否かの確認が可能な余水排出部（６）が設けられているから、水溜まり部（５）内に水道水（Ｗ）が充満されているか否かを容易に確認することができる。
【図面の簡単な説明】
【００１８】
【図１】本発明の第１実施形態に係る非常用飲料水タンクを示す縦断面図である。
【図２】（ａ）は図１の平面図、（ｂ）は図１のＡ−Ａ線断面図、（ｃ）は図１のＢ−Ｂ線断面図である。
【図３】本発明の第２実施形態に係る非常用飲料水タンクを示す縦断面図である。
【図４】（ａ）は一部破断させた図３のＡ１−Ａ１線断面矢視図、（ｂ）は一部破断させた図３のＢ１−Ｂ１線矢視図である。
【発明を実施するための形態】
【００１９】
＜第１実施形態＞
以下、本発明に係る非常用飲料水タンクの第１実施形態を図１〜図２を参照して具体的に説明する。なお、以下の説明において、上下左右の方向を示す場合は、図示正面から見た場合の上下左右をいうものとする。
【００２０】
図１に示すように、非常用飲料水タンク１は、タンク本体２と、そのタンク本体２の上部側の左側壁部に設けられ、水道水Ｗを当該タンク本体２内に取り込み可能な取水部３と、そのタンク本体２内に多段状に互い違いに配設され、蛇行状の流水路ＲＷを形成する複数の整流板４と、そのタンク本体２の上部に設けられている水溜まり部５と、その水溜まり部５の上部に設けられている余水排出部６と、その水溜まり部５の上部に設けられているバキュームブレーカ７と、そのタンク本体２の下部に設けられている平時用給水部８と、そのタンク本体２の下部に設けられている非常時用給水部９とで構成されている。
【００２１】
タンク本体２は、図１に示すように、円筒状の本体胴部２０と、曲面状の蓋部２１とで構成されている。この本体胴部２０の上壁部２０ａは開放されており、底壁部２０ｂは曲面状に形成され閉止されている。そして上壁部２０ａの外周面には、円形状のフランジ部２０ｃが溶接等によって固着されている。また、本体胴部２０の中央部には、鉛直方向に沿って、所要間隔置きに複数の液面確認窓２２ａ〜２２ｃ（図示では３つ）が突設されている。この液面確認窓２２ａ〜２２ｃは、外からタンク本体２内を覗き込めるように、透明な円形筒状になっており、取水部３より取り込まれた水道水Ｗがタンク本体２内にどの程度貯留されているのかを確認できるようになっている。すなわち、例えば、タンク本体２内に約８０リットルの水を貯留できるとすると、タンク本体２内に約１５リットルの水が貯留されたことが確認できるような位置に液面確認窓２２ａを立設し、約５０リットルの水が貯留されたことが確認できるような位置に液面確認窓２２ｂを立設し、約８０リットルの水が貯留されたことが確認できるような位置に液面確認窓２２ｃを立設するようにすれば、その液面確認窓２２ａ〜２２ｃからタンク本体２内を確認することにより、タンク本体２内にどの程度の水が貯留されたのかを確認できるようになっている。
【００２２】
一方、蓋部２１は、底壁部２１ａが開放され、上壁部２１ｂが曲面状に形成されて閉止されている。そして、この底壁部２１ａの外周面には、図２（ａ）に示すように、円形状のフランジ部２１ｃが溶接等によって固着され、上記本体胴部２０に設けられているフランジ部２０ｃと同サイズに形成されている。また、上壁部２１ｂの左右上面には、一対のコ字状の取手２３が設けられている。
【００２３】
かくして、このように構成される蓋部２１は、図１に示すように、本体胴部２０の上壁部２０ａの上部にパッキン２４を介して載置される。その際、蓋部２１のフランジ部２１ｃと、本体胴部２０に設けられているフランジ部２０ｃとが重なり合うように配置され、フランジ部２０ｃ，フランジ部２１ｃとが所要間隔置きにボルト・ナット２５（図２（ａ）参照）によって止着される。これにより、本体胴部２０の上壁部２０ａの上部に蓋部２１が固定配置され、もって、タンク本体２内が密閉状態となる。
【００２４】
ところで、このように構成されるタンク本体２には、図１に示すように、当該タンク本体２を支持する脚部１０が当該タンク本体２の周方向所要間隔置きに複数設けられている。この脚部１０は、図２（ｂ）に示すように断面視三角形状の脚部本体１０ａと、図１及び図２（ｂ）に示すように、この脚部本体１０ａの下部に溶接等によって固着されている支持板１０ｂとで構成されている。そして、このように構成される脚部１０の脚部本体１０ａが、タンク本体２の本体胴部２０下部側外周壁面に溶接等によって固着され、支持板１０ｂに貫設されている取付孔１０ｃ（図２（ｂ）参照）にボルト・ナット（図示せず）が挿通され支持板１０ｂが床等に固定されることにより、タンク本体２を脚部１０によって支持することができる。
【００２５】
一方、取水部３は、図１に示すように、逆止弁３０と、この逆止弁３０の上部に取り付けられる第１Ｌ型継手３１と、第１Ｌ型継手３１と連通している第２Ｌ型継手３２とで構成されている。第１Ｌ型継手３１は、ストリートエルボ等からなり、一端部３１ａが逆止弁３０の上部に取り付けられ、他端部３１ｂが本体胴部２０の上部側の外周左側壁部に溶接等によって固着されている。そして、第２Ｌ型継手３２は、バルブソケットエルボ等からなり、一端部３２ａが第１Ｌ型継手３１の他端部３１ｂと対向する位置である本体胴部２０の上部側の内周左側壁部に溶接等によって固着されることにより、第１Ｌ型継手３１と第２Ｌ型継手３２とが連通されることとなる。これにより、逆止弁３０の下部にホースＨ１を取付け、このホースＨ１より水道水Ｗを流入させるようにすれば、当該水道水Ｗが第１Ｌ型継手３１と第２Ｌ型継手３２を介して、タンク本体２内に流入することとなる。すなわち、ホースＨ１より流入された水道水Ｗが、図１に示すように、第２Ｌ型継手３２の他端部３２ｂより放出され、もって、タンク本体２内に水道水Ｗが取り込まれることとなる。
【００２６】
他方、整流板４は、図１に示すように、本体胴部２０に内嵌する円板に円弧状の切欠部４ａを設けた形状に形成されたもので、この本体胴部２０への取付けにあたっては、各整流板４を本体胴部２０内に嵌合させて上下方向所要間隔おきに多段状に配置させると共に、各整流板４の切欠部４ａが互い違いになるように配置させる。これにより、図１に示すような蛇行状の流水路ＲＷを形成することができる。これら整流板４の取付けにあたって、さらに詳しく説明すると、本体胴部２０の底壁部２０ｂに、複数本の整流板保持ロッド１１（図示では２本）を、夫々下向き垂直方向に延びるように各整流板保持ロッド１１の下端部を固着しておいて、これら整流板保持ロッド１１を、多段状に配設される整流板４に挿通して各挿通部で整流板４に対し溶接することによって、各整流板４を互いに上下方向一定間隔で且つ本体胴部２０に対し水平状態に固定することができる。
【００２７】
水溜まり部５は、図１に示すように、円筒状になっており、蓋部２１の上壁部２１ｂ中央部より、当該蓋部２１と一体的になるように突設している。
【００２８】
ところで、このように構成される水溜まり部５は、ホースＨ１に流入された水道水Ｗが貯留される。すなわち、ホースＨ１に流入された水道水Ｗは、逆止弁３０及び第１Ｌ型継手３１並びに第２Ｌ型継手３２を介してタンク本体２内に流入し、上下複数段に設けた整流板４によって形成される蛇行状の流水路ＲＷに沿って、図１に示す矢印方向に流下し、タンク本体２の底部より順次上方に溜まっていく。これにより、順次上方に溜まっていった水道水Ｗが、最終的に、水溜まり部５内に流入し、この水溜まり部５内を水道水Ｗで満たすこととなり、もって、水溜まり部５には、ホースＨ１に流入された水道水Ｗが貯留されることとなる。しかして、このように、タンク本体２内に水溜り部５を設けるようにすれば、タンク本体２内の空気を水に溶け込ませることができ、もって、タンク本体２内に空気溜まりが形成されないようにすることができる。これにより、タンク本体２内に塩素ガスが発生してしまう事態を防止することができ、もって、タンク本体２内の腐食を防止することができる。
【００２９】
一方、余水排出部６は、排出バルブからなり、一端部６ａが図１に示すように三方継手１２に取り付けられ、他端部６ｂより水道水Ｗが排出されるようになっている。この三方継手１２は、図１に示すように、チーズ等からなるＴ字形からなり、水溜り部５の上部に取り付けられることにより、タンク本体２内と連通することとなる。これにより、余水排出部６を開栓すると、水溜まり部５内に貯留している水道水Ｗが三方継手１２を介して他端部６ｂより排出されることとなる。しかして、余水排出部６の他端部６ｂより水道水Ｗが排出されれば、水溜まり部５内に水道水Ｗが充満されていることとなるから、もって、水溜まり部５内に水道水Ｗが充満されているか否かを容易に確認することが可能となる。
【００３０】
他方、バキュームブレーカ７は、図２（ｃ）に示すように、略円筒状に形成されている弁ケーシング７０で主に構成され、この弁ケーシング７０は、入口部７１と、出口部７２と、この入口部７１と出口部７２との間に設けられている略円筒状の弁室７３とで構成されている。このように構成される弁ケーシング７０の一端部外周面には、ネジ部７０ａが刻設されており、このネジ部７０ａに円筒状の蓋部７４が螺合されている。これにより、蓋部７４内と入口部７１の一端部７１ａが連通されることとなり、もって、蓋部７４に貫設されている透孔７４ａより取り込まれる外気が蓋部７４内に取り込まれると、この取り込まれた外気がその入口部７１の一端部７１ａ内に流入することとなる。また、入口部７１の他端部７１ｂの外周面には、弁室７３の一端部７３ａを密閉する合成ゴムで形成されるリング状の環状弁座７５が設けられている。なお、環状弁座７５の中心軸は、入口部７１と出口部７２の中心軸と同一軸上に形成されている。
【００３１】
一方、弁室７３内には、上記環状弁座７５を開閉する球状弁体７６が配設されており、さらに、球状弁体７６を環状弁座７５へ付勢するコイルバネ７７が設けられている。
【００３２】
かくして、上記のように構成されるバキュームブレーカ７は、弁ケーシング７０の他端部外周面に刻設されているネジ部７０ｂに三方継手１２が螺合されることにより、その三方継手１２に取り付けられることとなる。これにより、タンク本体２内の圧力が外気より高い正圧であれば、コイルバネ７７が球状弁体７６を環状弁座７５へ付勢することとなり、弁室７３の一端部７３ａが環状弁座７５によって密閉されるため、入口部７１の一端部７１ａ内に流入される外気が弁室７３内に流入することはない。しかして、弁室７３内に水道水Ｗと接触するような空気溜まりが形成されることはない。
【００３３】
一方、タンク本体２内の圧力が外気より低い負圧であれば、コイルバネ７７が若干収縮し球状弁体７６が環状弁座７５より離間することとなるから、環状弁座７５と球状弁体７６との間に僅かな隙間が出来るため、その隙間より入口部７１の一端部７１ａ内に流入される外気が弁室７３内に流入することとなる。これにより、出口部７２及び三方継手１２を介して、タンク本体２内に外気が取り込まれ、後述するように、断水が発生し、タンク本体２内の圧力が負圧になったとしても、取り込まれた外気によって、その負圧を解消することができる。それゆえ、断水時であっても、非常時用給水部９より、水道水Ｗを給水することができる。
【００３４】
平時用給水部８は、図１に示すように、給水バルブ８０と、継手８１とからなり、給水バルブ８０の一端部８０ａが、三方継手１３に取り付けられている。この三方継手１３は、図１に示すように、チーズ等からなるＴ字形からなり、本体胴部２０の底壁部２０ｂ中央部に取り付けられることにより、タンク本体２内と連通している。
【００３５】
一方、給水バルブ８０の他端部８０ｂは、継手８１の一端部８１ａに取り付けられている。そして、継手８１の他端部８１ｂには、ホースＨ２が取り付けられている。これにより、給水バルブ８０を開栓すれば、タンク本体２内に貯留されている水道水Ｗが三方継手１３を介して給水バルブ８０及び継手８１を通してホースＨ２に流入される。それゆえ、このホースＨ２をキッチン、洗濯機等、日常生活で使用するところに使用すれば、タンク本体２内に貯留される水道水Ｗを普段通りの水道水Ｗとして使用することができる。
【００３６】
他方、非常時用給水部９は、蛇口からなり、一端部９ａが三方継手１３に取り付けられている。これにより、非常時用給水部９を開栓すれば、三方継手１３を介して他端部９ｂより水道水Ｗが排出されることとなる。
【００３７】
ところで、この非常時用給水部９は、断水が発生した際の非常時に使用されるものであるが、断水が発生すると、タンク本体２内に、取水部３より水道水Ｗが取り込まれなくなる。これにより、タンク本体２内の圧力が低下し、負圧となって、水道水Ｗの自重によって、三方継手１３を介して他端部９ｂより水道水Ｗが排出されることとなる。しかしながら、タンク本体２内が負圧のままでは、水道水Ｗが排出されない。それゆえ、この事態を解消すべく、バキュームブレーカ７より自動的に外気が取り込まれ、もって、タンク本体２内の負圧が解消され、他端部９ｂより水道水Ｗが排出されることとなる。これにより、タンク本体２内が負圧となっても、バキュームブレーカ７より自動的に外気が取り込まれるため、タンク本体２内の負圧が解消されるから、非常時用給水部９よりタンク本体２内に貯留している水道水Ｗが排出されないという事態を低減することができる。
【００３８】
次に、上記のように構成される非常用飲料水タンク１の使用方法について説明する。まず、余水排出部６を開栓し、給水バルブ８０を閉栓し、非常時用給水部９を閉栓する。この状態で、ホースＨ１を図示しない家庭用の水道水の蛇口と接続し、この蛇口よりホースＨ１内に水道水Ｗを流入させるようにすれば、この水道水Ｗは、図１に示すように、第２Ｌ型継手３２の他端部３２ｂより放出され、もって、タンク本体２内に水道水Ｗが取り込まれることとなる。そして、タンク本体２内に取り込まれた水道水Ｗは、上下複数段に設けた整流板４によって形成される蛇行状の流水路ＲＷに沿って図中矢印の方向に流下し、タンク本体２内の底部より順次上方に溜まっていき、満水状態になると、余水排出部６の他端部６ｂより水道水Ｗが排出される。この際、コップ１杯程度の水道水Ｗが溢れ出したところで、余水排出部６を閉栓するようにすれば、水溜り部５内に水道水Ｗが充満されていることとなる。なお、この際、タンク本体２内の圧力は、外気より高い正圧となっているため、バキュームブレーカ７のコイルバネ７７が球状弁体７６を環状弁座７５へ付勢することとなり、弁室７３の一端部７３ａが環状弁座７５によって密閉されることとなるから、水道水Ｗが外に漏れだすということがない。
【００３９】
次いで、タンク本体２内を水道水Ｗで満水状態にし、余水排出部６を閉栓した後、給水バルブ８０を開栓する。これにより、タンク本体２内に貯留されている水道水Ｗが三方継手１３を介して給水バルブ８０及び継手８１を通してホースＨ２に流入される。それゆえ、このホースＨ２をキッチン、洗濯機等、日常生活で使用されるところに使用すれば、タンク本体２内に貯留される水道水Ｗを普段通りの水道水Ｗとして使用することができる。
【００４０】
しかして、タンク本体２内に貯留されている水道水Ｗを、平時用給水部８を用いて、普段通りの水道水Ｗとして使用するようにすれば、タンク本体２内の水道水Ｗは、新鮮な水道水Ｗと入れ代ることとなるため、新鮮な水道水、すなわち、飲料水を常に家庭内や職場内等に備蓄することができる。
【００４１】
一方、地震や台風等の災害発生時に断水しても、タンク本体２内に貯留されている水量は確保される。すなわち、断水時には、タンク本体２内の圧力は低下していくが、タンク本体２内の水量はそのままであるから、飲料水として使用する場合は、非常時用給水部９より給水することができる。なお、人間が一日に必要とする飲料水の最低量は３リットルと言われているから、タンク本体２内に６０リットルの飲料水を貯めておくようにすれば、例えば、家族４人で、５日間凌ぐことができる。
【００４２】
ところで、非常時用給水部９より給水するにあたっては、タンク本体２内の圧力が低下し、負圧となって、水道水Ｗの自重によって、三方継手１３を介して当該非常時用給水部９の他端部９ｂより水道水Ｗが排出されることとなる。しかしながら、タンク本体２内が負圧のままでは、水道水Ｗが排出されない。その際、タンク本体２内が負圧となると、バキュームブレーカ７のコイルバネ７７が若干収縮し球状弁体７６が環状弁座７５より離間することとなるから、環状弁座７５と球状弁体７６との間に僅かな隙間ができ、その隙間より入口部７１の一端部７１ａ内に流入される外気が弁室７３内に流入することとなる。これにより、出口部７２及び三方継手１２を介して、タンク本体２内に外気が取り込まれ、もって、タンク本体２内の負圧が解消され、非常時用給水部９の他端部９ｂより水道水Ｗが排出される。それゆえ、断水しても、非常時用給水部９より給水することができる。
【００４３】
しかして、以上説明した本実施形態によれば、取水部３よりタンク本体２内に取り込まれる水道水Ｗは、上下複数段の整流板４によって形成される蛇行状の流水路ＲＷに沿って整流されながら流下し、平常時は、平時用給水部８より排出され、普段通りの水道水Ｗとして使用することができる。それゆえ、タンク本体２内の水道水Ｗは、タンク本体２内で滞留することがなく、もって、常に新鮮な水道水、すなわち、飲料水を常に家庭内や職場内等に備蓄することができる。
【００４４】
さらに、本実施形態によれば、タンク本体２内に、空気溜まりが形成されないように水溜まり部５を設けているため、タンク本体２内の空気を水に溶け込ませることができ、もって、タンク本体２内に空気溜まりが形成されないようにすることができる。これにより、タンク本体２内に塩素ガスが発生してしまう事態を防止することができ、もって、タンク本体２内の腐食を防止することができる。
【００４５】
しかして、本実施形態によれば、必要最低限の新鮮な飲料水を確保することができる。
【００４６】
＜第２実施形態＞
次に、本発明に係る非常用飲料水タンクの第２実施形態を、図３及び図４を参照して具体的に説明する。なお、第１実施形態と同一の構成については、同一の符号を付し、説明は省略する。
【００４７】
第２実施形態に係る非常用飲料水タンクは、第１実施形態に係るタンク本体２を縦から横に配置させただけの相違であり、それに伴い、各部材の配置が異なっているだけの相違である。この点、以下に詳しく説明することとする。
【００４８】
図３及び図４に示すように、非常用飲料水タンク１Ａは、タンク本体２Ａと、そのタンク本体２Ａの下部左側に設けられ、水道水Ｗを当該タンク本体２Ａ内に取り込み可能な取水部３（図４（ａ）参照）と、そのタンク本体２内に多段状に互い違いに配設されて、蛇行状の流水路ＲＷを形成する複数の整流板４と、そのタンク本体２Ａの上部中央側に設けられている水溜まり部５と、その水溜まり部５の上部に設けられている余水排出部６と、その水溜まり部５の上部に設けられているバキュームブレーカ７と、そのタンク本体２Ａの下部右側に設けられている平時用給水部８（図４（ｂ）参照）と、そのタンク本体２Ａの下部右側に設けられている非常時用給水部９（図４（ｂ）参照）とで構成されている。
【００４９】
タンク本体２Ａは、図３に示すように、円筒状の本体胴部２００と、曲面状の蓋部２１とで構成されている。この本体胴部２００の左側壁部２００ａは開放されており、右側壁部２００ｂは曲面状に形成され閉止されている。そして、左側壁部２００ａの外周面には、円形状のフランジ部２０ｃが溶接等によって固着されている。また、本体胴部２００の左側壁部２００ａ側には、周方向に沿って、所要間隔置きに複数の液面確認窓２２ａ〜２２ｃ（図示では３つ）が突設されている（図４（ａ）も参照）。
【００５０】
一方、本体胴部２００の下壁部２００ｃの左側壁部２００ａ側には、タンク本体２Ａ内に水道水Ｗを取り込み可能な取水部３が設けられている。なお、この取水部３は、第１実施形態と異なり、第２Ｌ型継手３２が設けられておらず、第１Ｌ型継手３１から水道水Ｗが放出され、タンク本体２Ａ内に水道水Ｗが取り込めるようになっている。
【００５１】
また、本体胴部２００の上壁部２００ｄの中央側に、水溜まり部５が、当該本体胴部２００と一体的になるように突設している。そして、この水溜まり部５の上部に第１実施形態同様、三方継手１２を介して、余水排出部６とバキュームブレーカ７とが取り付けられている。さらに、本体胴部２００の下壁部２００ｃの右側壁部２００ｂ側には、第１実施形態同様、三方継手１３を介して、平時用給水部８と非常時用給水部９とが取り付けられている。
【００５２】
一方、本体胴部２００内には、各整流板４を本体胴部２００内に嵌合させて左右方向所要間隔おきに多段状に配置されると共に、各整流板４の切欠部４ａが互い違いになるように配置されている。これにより、本体胴部２００内に図３に示すような蛇行状の流水路ＲＷを形成することができる。
【００５３】
ところで、これら整流板４の取付けにあたって、さらに詳しく説明すると、複数本の整流板保持ロッド１１（図示（図４参照）では４本）を、本体胴部２００の上壁部２００ｄ及び下壁部２００ｃと平行となる位置に配置し、これら整流板保持ロッド１１を、多段状に配設される整流板４に挿通して各挿通部で整流板４に対し溶接することによって、各整流板４を互いに左右方向一定間隔で且つ本体胴部２０に対し垂直状態に固定することができる。
【００５４】
かくして、このように構成される本体胴部２００には、蓋部２１が固定配置される。すなわち、図３に示すように、本体胴部２００の左側壁部２００ａにパッキン２４を介して蓋部２１が載置される。その際、蓋部２１のフランジ部２１ｃと、本体胴部２００に設けられているフランジ部２０ｃとが重なり合うように配置され、フランジ部２０ｃ，フランジ部２１ｃとが所要間隔置きにボルト・ナット２５によって止着される。これにより、本体胴部２００の左側壁部２００ａに蓋部２１が固定配置され、もって、タンク本体２Ａ内が密閉状態となる。
【００５５】
ところで、このように構成されるタンク本体２Ａには、図３に示すように、当該タンク本体２Ａを支持する脚部１００が当該タンク本体２Ａの前後方向に設けられている。この脚部１００は、図４に示すように三角形状の脚部本体１００ａと、この三角形状の脚部本体１００ａの中央部に溶接等によって固着されている四角形状の補強板１００ｂとで構成されている。そして、このように構成される脚部１００の脚部本体１００ａの上部が、タンク本体２Ａの本体胴部２００下部側外周壁面に溶接等によって固着され、さらに、補強板１００ｂの上部もタンク本体２Ａの本体胴部２００下部側外周壁面に溶接等によって固着されている。これにより、タンク本体２Ａが一対の脚部１００によって支持されることとなる。
【００５６】
次に、上記のように構成される非常用飲料水タンク１Ａの使用方法について説明する。まず、余水排出部６を開栓し、給水バルブ８０を閉栓し、非常時用給水部９を閉栓する。この状態で、ホースＨ１を図示しない家庭用の水道水の蛇口と接続し、この蛇口よりホースＨ１内に水道水Ｗを流入させるようにすれば、この水道水Ｗは、図１に示すように、第１Ｌ型継手３１より放出され、もって、タンク本体Ａ２内に水道水Ｗが取り込まれることとなる。そして、タンク本体２Ａ内に取り込まれた水道水Ｗは、左右複数段に設けた整流板４によって形成される蛇行状の流水路ＲＷに沿って図中矢印の方向に流下し、タンク本体２内の下部より順次上方に溜まっていき、満水状態になると、余水排出部６の他端部６ｂより水道水Ｗが排出される。この際、コップ１杯程度の水道水Ｗが溢れ出したところで、余水排出部６を閉栓するようにすれば、水溜り部５内に水道水Ｗが充満されていることとなる。なお、この際、タンク本体２Ａ内の圧力は、外気より高い正圧となっているため、バキュームブレーカ７のコイルバネ７７が球状弁体７６を環状弁座７５へ付勢することとなり、弁室７３の一端部７３ａが環状弁座７５によって密閉されることとなるから、水道水Ｗが外に漏れだすということがない。
【００５７】
次いで、タンク本体２Ａ内を水道水Ｗで満水状態にし、余水排出部６を閉栓した後、給水バルブ８０を開栓する。これにより、タンク本体２Ａ内に貯留されている水道水Ｗが三方継手１３を介して給水バルブ８０及び継手８１を通してホースＨ２に流入される。それゆえ、このホースＨ２をキッチン、洗濯機等、日常生活で使用されるところに使用すれば、タンク本体２Ａ内に貯留される水道水Ｗを普段通りの水道水Ｗとして使用することができる。
【００５８】
しかして、タンク本体２Ａ内に貯留されている水道水Ｗを、平時用給水部８を用いて、普段通りの水道水Ｗとして使用するようにすれば、タンク本体２Ａ内の水道水Ｗは、新鮮な水道水Ｗと入れ代ることとなるため、新鮮な水道水、すなわち、飲料水を常に家庭内や職場内等に備蓄することができる。
【００５９】
一方、地震や台風等の災害発生時に水道が断水しても、タンク本体２Ａ内に貯留されている水量は確保される。すなわち、断水時には、タンク本体２Ａ内の圧力は低下していくが、タンク本体２Ａ内の水量はそのままであるから、飲料水として使用する場合は、非常時用給水部９より取水することができる。
【００６０】
ところで、非常時用給水部９より給水するにあたっては、タンク本体２Ａ内の圧力が低下し、負圧となって、水道水Ｗの自重によって、三方継手１３を介して当該非常時用給水部９より他端部９ｂより水道水Ｗが排出されることとなる。しかしながら、タンク本体２Ａ内が負圧のままでは、水道水Ｗが排出されない。その際、タンク本体２Ａ内が負圧となると、バキュームブレーカ７のコイルバネ７７が若干収縮し球状弁体７６が環状弁座７５より離間することとなるから、環状弁座７５と球状弁体７６との間に僅かな隙間ができ、その隙間より入口部７１の一端部７１ａ内に流入される外気が弁室７３内に流入することとなる。これにより、出口部７２及び三方継手１２を介して、タンク本体２Ａ内に外気が取り込まれ、もって、タンク本体２Ａ内の負圧が解消され、非常時用給水部９の他端部９ｂより水道水Ｗが排出される。それゆえ、断水しても、非常時用給水部９より給水することができる。
【００６１】
しかして、以上説明した本実施形態によれば、取水部３よりタンク本体２Ａ内に取り込まれる水道水Ｗは、左右複数段の整流板４によって形成される蛇行状の流水路ＲＷに沿って整流されながら流下し、平常時は、平時用給水部８より排出され、普段通りの水道水Ｗとして使用することができる。それゆえ、タンク本体２Ａ内の水道水Ｗは、タンク本体２Ａ内で滞留することがなく、もって、常に新鮮な水道水、すなわち、飲料水を常に家庭内や職場内等に備蓄することができる。
【００６２】
さらに、本実施形態によれば、タンク本体２Ａ内に、空気溜まりが形成されないように水溜まり部５を設けているため、タンク本体２Ａ内の空気を水に溶け込ませることができ、もって、タンク本体２Ａ内に空気溜まりが形成されないようにすることができる。これにより、タンク本体２Ａ内に塩素ガスが発生してしまう事態を防止することができ、もって、タンク本体２Ａ内の腐食を防止することができる。
【００６３】
しかして、本実施形態においても、必要最低限の新鮮な飲料水を確保することができる。
【符号の説明】
【００６４】
１，１Ａ        非常用飲料水タンク
２，２Ａ        タンク本体
３              取水部
４              整流板
５              水溜り部
６              余水排出部
７              バキュームブレーカ
８              平時用給水部
９              非常時用給水部
Ｗ              水道水
ＲＷ            流水路
【図１】
2016029240.tif 000003
【図２】
2016029240.tif 000004
【図３】
2016029240.tif 000005
【図４】
2016029240.tif 000006